(57)【要約】【課題】送信側装置と受信側装置との間の時刻データのずれを的確に修正することのできるデータ記録再生システム、データ記録方法、プログラム及び記録媒体を提供する。【解決手段】時間的に変化する動画データを記録して送信する送信側装置と、前記送信側装置より送信されたデータを受信して記録し、時刻データをもとに検索して再生する受信側装置とからなるデータ記録再生システムにおいて、前記送信側装置が、前記動画データおよび記録中の動画データを後で検索するために任意に選択されたコンテキストデータおよびそのコンテキストデータに対応する時刻を記録データとして記録するデータ記録手段と、前記動画データおよびコンテキストデータおよびコンテキストデータに対応する時刻と共に現在時刻を転送するデータ転送手段と、を具備し、前記受信側装置が、前記データ転送時に送信側装置と受信側装置との間の時刻差を取得する時刻差取得手段と、取得された時刻差に基づき前記記録データ中の時刻を補正する時刻補正手段とを具備した構成となっている。【選択図】      図１
2004274514.tif 000002
【特許請求の範囲】
【請求項１】
時間的に変化する動画データを記録して送信する送信側装置と、該送信側装置より送信されたデータを受信して記録し、時刻データをもとに検索して再生する受信側装置とからなるデータ記録再生システムであって、
前記送信側装置が、前記動画データおよび記録中の動画データを後で検索するために任意に選択されたコンテキストデータおよび該コンテキストデータに対応する時刻を記録データとして記録するデータ記録手段と、
前記動画データおよびコンテキストデータおよびコンテキストデータに対応する時刻と共に現在時刻を転送するデータ転送手段と、を具備し、
前記受信側装置が、前記データ転送時に送信側装置と受信側装置との間の時刻差を取得する時刻差取得手段と、
前記取得された時刻差に基づき前記記録データ中の時刻を補正する時刻補正手段とを具備したことを特徴とするデータ記録再生システム。
【請求項２】
請求項１に記載のデータ記録再生システムにおいて、前記データ記録手段が、前記コンテキストデータに対応する時間幅を記録するように構成されることを特徴とするデータ記録再生システム。
【請求項３】
静止画データを記録して送信する送信側装置と、該送信側装置より送信されたデータを受信して記録し、時刻データをもとに検索して再生する受信側装置とからなるデータ記録再生システムであって、
前記送信側装置が、前記静止画データおよび静止画データに対応する時刻を記録データとして記録するデータ記録手段と、
前記静止画データおよび静止画データに対応する時刻と共に現在時刻を転送するデータ転送手段と、を具備し、
前記受信側装置が、前記データ転送時に送信側装置と受信側装置との間の時刻差を取得する時刻差取得手段と、
前記取得された時刻差に基づき前記記録データ中の時刻を補正する時刻補正手段とを具備したことを特徴とするデータ記録再生システム。
【請求項４】
請求項３に記載のデータ記録再生システムにおいて、前記送信側装置が、静止画データとしてホワイトボード画面を入力するボード画面入力手段を備えたことを特徴とするデータ記録再生システム。
【請求項５】
請求項４に記載のデータ記録再生システムにおいて、前記送信側装置が、ホワイトボード画面を斜め方向から撮影することに起因する静止画データのあおり歪みを補正するあおり補正手段を備えたことを特徴とするデータ記録再生システム。
【請求項６】
通話時刻データを記録して送信する送信側装置と、該送信側装置より送信された通話時刻データを受信し、その時刻データをもとに画像データを検索して再生する受信側装置とからなるデータ記録再生システムであって、前記送信側装置が、前記通話時刻データを記録データとして記録するデータ記録手段と、
前記通話時刻と共に現在時刻を転送するデータ転送手段と、を具備し、
前記受信側装置が、前記データ転送時に送信側装置と受信側装置との間の時刻差を取得する時刻差取得手段と、
前記取得された時刻差に基づき前記記録データ中の時刻を補正する時刻補正手段と、を具備したことを特徴とするデータ記録再生システム。
【請求項７】
請求項６に記載のデータ記録再生システムにおいて、前記送信側装置が、更に通話している位置情報を記録する場所記録手段を備えたことを特徴とするデータ記録再生システム。
【請求項８】
時間的に変化する動画データを記録して送信する送信側装置と、該送信側装置より送信されたデータを受信して記録し、時刻データをもとに検索して再生する受信側装置とからなるデータ記録再生システムにおけるデータ記録再生方法であって、
前記送信側装置において動画データおよび記録中の動画データを後で検索するために任意に選択されたコンテキストデータおよびそのコンテキストデータに対応する時刻を記録データとして記録するデータ記録ステップと、
前記動画データおよびコンテキストデータおよびコンテキストデータに対応する時刻と共に現在時刻を転送するデータ転送ステップと、
前記受信側装置において前記データ転送時に送信側装置と受信側装置との間の時刻差を取得する時刻差取得ステップと、
前記取得された時刻差に基づき前記記録データ中の時刻を補正する時刻補正ステップとを具備したことを特徴とするデータ記録再生方法。
【請求項９】
請求項８に記載のデータ記録再生方法において、前記コンテキストデータに対応する時間幅を記録することを特徴とするデータ記録再生方法。
【請求項１０】
静止画データを記録して送信する送信側装置と、前記送信側装置より送信されたデータを受信して記録し、時刻データをもとに検索して再生する受信側装置とからなるデータ記録再生システムにおけるデータ記録再生方法であって、
前記送信側装置において静止画データおよび静止画データに対応する時刻を記録データとして記録するデータ記録ステップと、
前記静止画データおよび静止画データに対応する時刻と共に現在時刻を転送するデータ転送ステップと、
前記受信側装置において前記データ転送時に送信側装置と受信側装置との間の時刻差を取得する時刻差取得ステップと、
前記取得された時刻差に基づき前記記録データ中の時刻を補正する時刻補正ステップとを具備したことを特徴とするデータ記録再生方法。
【請求項１１】
請求項１０に記載のデータ記録再生方法において、静止画データとしてホワイトボード画面を入力することを特徴とするデータ記録再生方法。
【請求項１２】
請求項１１に記載のデータ記録再生方法において、ホワイトボード画面を斜め方向から撮影することに起因する、静止画データのあおり歪みを補正することを特徴とするデータ記録再生方法。
【請求項１３】
通話時刻データを記録して送信する送信側装置と、前記送信側装置より送信された通話時刻データを受信し、その時刻データをもとに画像データを検索して再生する受信側装置とからなるデータ記録再生システムにおけるデータ記録再生方法であって、
前記送信側装置において通話時刻データを記録データとして記録するデータ記録ステップと、
前記通話時刻と共に現在時刻を転送するデータ転送ステップと、
前記受信側装置において前記データ転送時に送信側装置と受信側装置との間の時刻差を取得する時刻差取得ステップと、
前記取得された時刻差に基づき前記記録データ中の時刻を補正する時刻補正ステップと、を具備したことを特徴とするデータ記録再生方法。
【請求項１４】
請求項１３に記載のデータ記録再生方法において、更に通話している場所を記録することを特徴とするデータ記録再生方法。
【請求項１５】
請求項８乃至請求項１４のいずれか１項に記載のデータ記録再生方法に従ってプログラミングしたことを特徴とするデータ記録再生プログラム。
【請求項１６】
請求項１５に記載のデータ記録再生プログラムを記録したことを特徴とする記録媒体。
【発明の詳細な説明】
【０００１】
【発明の属する技術分野】
本発明は、音声データや動画データなどの記録・保管、検索、再生をネットワークを介して行うことができるデータ記録再生システムに関し、特に、送信側装置と受信側装置との間の時刻データのずれを的確に修正することのできるデータ記録再生システム、データ記録方法、プログラム及び記録媒体に関するものである。
【０００２】
【従来の技術】
一般に、音声データや動画データなどの記録・保管、検索、再生をネットワークを介して行うことができるデータ記録再生システムが知られている。
以下に、本発明のデータ記録再生システムに対応する先行技術について説明する。
先行技術としては、１．動画データなど時間的に変化するコンテキストデータを記録する端末装置がその記録時刻も記録することができ、この記録の際は、その端末装置をネットワークに接続しておく必要がなく、且つ、その端末装置とそのデータを保管するサーバ装置との間の時刻を利便性を低下させずに正確に合わせることができるデータ記録再生システム、データ記録方法、プログラム、及び記録媒体の技術がある。また、そのようなデータ記録再生において、メモデータとしてテキストデータや手書き画像データなど様々な種類のデータを記録対象とするデータ記録再生技術を提供している。従って、この技術により、動画撮影中にユーザが後で再生したい重要な部分と考えた箇所にメモを書き込むことで、動画データの重要な部分を簡単に検索表示できる技術がある。２．特開２０００−３４９７９１公報には、ネットワーク接続された計算機間で、ＮＴＰと呼ばれるプロトコルを利用して時計を同期させる技術が開示されており、特にＮＴＰを利用した時刻同期処理を効率化するための改良方式が提案されている。この動画検索システムでも、動画記録装置と手元端末装置の間でこのような同期処理方式を利用して、時刻を同期させることもできるとしている。
近年、例えば会議などのシーンで音声データや動画データなどをネットワークを介して専用のサーバ装置に記録・保管し、後から検索・再生するデータ記録再生システムが提供されている。
この場合、正しい検索結果を得るためには、記録・保管された動画データとメモデータの間で時刻の対応がとれている（時計が合っている）ことが必要である。すなわち、時刻合わせが必要となるが、このような時刻合わせの先行技術として、前記特開２０００−３４９７９１公報が挙げられる。
【特許文献１】特開２０００−３４９７９１公報
【特許文献２】特願２００２−１３１８９６
【０００３】
【発明が解決しようとする課題】
しかしながら、前記１．に記載されている技術は、動画撮影中にユーザが後で再生したい重要な部分と考えた箇所にメモを書き込むことを念頭に置いているが、現在市販されている携帯端末の手書きメモ又はテキストメモ入力機能は、一般に使用しづらい、入力に時間がかかるなどの問題があるため、メモ入力作業に気をとられ、重要な話をうっかり聞きそびれてしまう恐れがあった。また、「後で再生したい重要な部分」は、上述のようなユーザの恣意的な作業によってのみ規定される訳ではない。例えば、会議参加中に他の作業が割り込むなどの不慮の事情で一時的に退席した場合、当然会議後にその間のシーンを再生したくなるが、本先行技術で記載された実施の形態ではこのような場面で効果を奏しなかった。また、前述した特許文献１に示されているようなＮＴＰによる時刻合わせは、本発明の技術分野であるデータ記録システムでも用いることができる。すなわち、動画データなどを取り込む（記録する）手元の端末装置（記録装置）と、そのデータを保管するサーバ装置との間でＮＴＰによった同期方式を用いて時刻を同期させる。
しかしながら、このような同期を実現するためには、前記各装置を常にネットワークに接続しておく必要があり、そのため、前記手元の端末装置の接続をケーブルにより実現しようとすると、取り扱いに邪魔であるという問題が生じ、無線ＬＡＮにより実現しようとすると高価であるという問題が生じる。また、事前に時刻の同期をとり、手元の端末装置の利用時には接続しないことも考えられるが、このような方法では利用手順が煩雑になり、利便性が低下する。例えば、オフィスにおける会議に個人用の端末装置を持って参加する際には、事前に自席で端末装置にケーブルを接続して、時刻合わせ処理を実行する必要があり、時刻合わせ処理を忘れたまま会議室に持参してしまった場合には、メモ記録操作をしても、時刻誤差のために後で正確な検索を行えない恐れがあった。
【０００４】
本発明の目的は、記録・保管されたデータの正確な検索のために、送信側装置と受信側装置の間の時刻データを利便性を低下させずに正確に対応づけできるデータ記録再生システム、データ記録方法、プログラム及び記録媒体を提供することである。
本発明の他の目的は、コンテキストデータと共に記録する時刻を幅を持たせる形で記録できるようにすることで、一層正確かつ効率のよい記録・保管データの検索を可能としたデータ記録再生システム、データ記録方法、プログラム及び記録媒体を提供することである。
本発明の他の目的は、日常的なシーンにおいてユーザが無意識的に行う動作を、検索に役に立つデータとして入力することを可能としたデータ記録再生システム、データ記録方法、プログラム及び記録媒体を提供することである。
【０００５】
【課題を解決するための手段】
前記目的を達成するために、請求項１記載の発明は、時間的に変化する動画データを記録して送信する送信側装置と、前記送信側装置より送信されたデータを受信して記録し、時刻データをもとに検索して再生する受信側装置とからなるデータ記録再生システムにおいて、前記送信側装置が、動画データおよび記録中の動画データを後で検索するために任意に選択されたコンテキストデータおよびそのコンテキストデータに対応する時刻を記録データとして記録するデータ記録手段と、前記動画データおよびコンテキストデータおよびコンテキストデータに対応する時刻と共に現在時刻を転送するデータ転送手段と、を具備し、前記受信側装置が、前記データ転送時に送信側装置と受信側装置との間の時刻差を取得する時刻差取得手段と、取得された時刻差に基づき前記記録データ中の時刻を補正する時刻補正手段とを具備したことを特徴とする。
したがって、コンテキストデータに対応する時刻および現在時刻に基づいて送信側装置と受信側装置との間の時刻差を取得して時刻の補正を行うので記録・保管されたデータの正確な検索を行うことができる。
また、請求項２記載の発明は、請求項１記載のデータ記録再生システムにおいて、前記データ記録手段が、前記コンテキストデータに対応する時間幅を記録するように構成したことを特徴とする。
したがって、コンテキストデータと共に記録する時刻を幅を持たせる形で記録できるようにすることで、一層正確かつ効率のよい記録・保管データの検索が可能となる。
また、請求項３記載の発明は、静止画データを記録して送信する送信側装置と、前記送信側装置より送信されたデータを受信して記録し、時刻データをもとに検索して再生する受信側装置とからなるデータ記録再生システムにおいて、前記送信側装置が、静止画データおよび静止画データに対応する時刻を記録データとして記録するデータ記録手段と、前記静止画データおよび静止画データに対応する時刻と共に現在時刻を転送するデータ転送手段と、を具備し、前記受信側装置が、前記データ転送時に送信側装置と受信側装置との間の時刻差を取得する時刻差取得手段と、取得された時刻差に基づき前記記録データ中の時刻を補正する時刻補正手段とを具備したことを特徴とする。
したがって、静止画データに対応する時刻および現在時刻に基づいて送信側装置と受信側装置との間の時刻差を取得して時刻の補正を行うので記録・保管されたデータの正確な検索を行うことができる。
【０００６】
また、請求項４記載の発明は、請求項３に記載のデータ記録再生システムにおいて、前記送信側装置が、静止画データとしてホワイトボード画面を入力するボード画面入力手段を備えたことを特徴とする。
したがって、日常的なシーンにおいてユーザが無意識的に行う動作を、検索に役に立つデータとして入力することが可能となる。
また、請求項５記載の発明は、請求項４に記載のデータ記録再生システムにおいて、前記送信側装置が、ホワイトボード画面を斜め方向から撮影することに起因する静止画データのあおり歪みを補正するあおり補正手段を備えたことを特徴とする。
また、請求項６記載の発明は、通話時刻データを記録して送信する送信側装置と、前記送信側装置より送信された通話時刻データを受信し、その時刻データをもとに画像データを検索して再生する受信側装置とからなるデータ記録再生システムであって、前記送信側装置が、通話時刻データを記録データとして記録するデータ記録手段と、前記通話時刻と共に現在時刻を転送するデータ転送手段と、を具備し、前記受信側装置が、前記データ転送時に送信側装置と受信側装置との間の時刻差を取得する時刻差取得手段と、取得された時刻差に基づき前記記録データ中の時刻を補正する時刻補正手段と、を具備したことを特徴とする。
したがって、通話時刻データおよび現在時刻に基づいて送信側装置と受信側装置との間の時刻差を取得して時刻の補正を行うので記録・保管されたデータの正確な検索を行うことができる。
また、請求項７記載の発明は、請求項６に記載のデータ記録再生システムにおいて、前記送信側装置が、更に通話している位置情報を記録する場所記録手段を備えたことを特徴とする。
【０００７】
また、請求項８記載の発明は、時間的に変化する動画データを記録して送信する送信側装置と、前記送信側装置より送信されたデータを受信して記録し、時刻データをもとに検索して再生する受信側装置とからなるデータ記録再生システムにおけるデータ記録再生方法であって、前記送信側装置において動画データおよび記録中の動画データを後で検索するために任意に選択されたコンテキストデータおよびそのコンテキストデータに対応する時刻を記録データとして記録するデータ記録ステップと、前記動画データおよびコンテキストデータおよびコンテキストデータに対応する時刻と共に現在時刻を転送するデータ転送ステップと、前記受信側装置において前記データ転送時に送信側装置と受信側装置との間の時刻差を取得する時刻差取得ステップと、取得された時刻差に基づき前記記録データ中の時刻を補正する時刻補正ステップとを具備したことを特徴とする。
したがって、コンテキストデータに対応する時刻および現在時刻に基づいて送信側装置と受信側装置との間の時刻差を取得して時刻の補正を行うので記録・保管されたデータの正確な検索を行うことができる。
また、請求項９記載の発明は、請求項８に記載のデータ記録再生方法において、前記コンテキストデータに対応する時間幅を記録することを特徴とする。
また、請求項１０記載の発明は、静止画データを記録して送信する送信側装置と、前記送信側装置より送信されたデータを受信して再生する受信側装置とからなるデータ記録再生システムにおけるデータ記録再生方法であって、前記送信側装置において静止画データおよび静止画データに対応する時刻を記録データとして記録するデータ記録ステップと、前記静止画データおよび静止画データに対応する時刻と共に現在時刻を転送するデータ転送ステップと、前記受信側装置において前記データ転送時に送信側装置と受信側装置との間の時刻差を取得する時刻差取得ステップと、取得された時刻差に基づき前記記録データ中の時刻を補正する時刻補正ステップとを具備したことを特徴とする。
したがって、静止画データに対応する時刻および現在時刻に基づいて送信側装置と受信側装置との間の時刻差を取得して時刻の補正を行うので記録・保管されたデータの正確な検索を行うことができる。
また、請求項１１記載の発明は、請求項１０に記載のデータ記録再生方法において、静止画データとしてホワイトボード画面を入力することを特徴とする。
また、請求項１２記載の発明は、請求項１１記載のデータ記録再生方法において、請求項１１に記載のデータ記録再生方法において、ホワイトボード画面を斜め方向から撮影することに起因する、静止画データのあおり歪みを補正することを特徴とする。
【０００８】
また、請求項１３記載の発明は、通話時刻データを記録して送信する送信側装置と、前記送信側装置より送信された通話時刻データを受信し、その時刻データをもとに画像データを検索して再生する受信側装置とからなるデータ記録再生システムにおけるデータ記録再生方法であって、前記送信側装置において通話時刻データを記録データとして記録するデータ記録ステップと、前記通話時刻と共に現在時刻を転送するデータ転送ステップと、前記受信側装置において前記データ転送時に送信側装置と受信側装置との間の時刻差を取得する時刻差取得ステップと、取得された時刻差に基づき前記記録データ中の時刻を補正する時刻補正ステップと、を具備したことを特徴とする。
したがって、通話時刻データおよび現在時刻に基づいて送信側装置と受信側装置との間の時刻差を取得して時刻の補正を行うので記録・保管されたデータの正確な検索を行うことができる。
また、請求項１４記載の発明は、請求項１３に記載のデータ記録再生方法において、更に通話している場所を記録することを特徴とする。
また、請求項１５記載の発明は、データ記録再生プログラムにおいて、請求項８乃至請求項１４のいずれか１項に記載のデータ記録再生方法に従ってプログラミングしたことを特徴とする。
また、請求項１６記載の発明は、記録媒体において、請求項１５に記載のデータ記録再生プログラムを記録したことを特徴とする。
【０００９】
【発明の実施の形態】
以下に添付の図を参照してこの発明の実施形態を詳細に説明する。
図１は、本発明によるデータ記録再生システムの第１の実施形態の構成ブロック図である。
図１に示すように、このデータ記録再生システムは、動画表示操作を行う動画表示用ＰＣ１（受信側装置）と、ビデオデータ配信を行うビデオサーバ３と、ＮＴＰサーバ５とが、ネットワーク７を通じて接続される構成となっている。そして、時刻記録操作を行う携帯端末９（送信側装置）が、動画表示用ＰＣ１とシリアルインターフェースで接続可能となっている。
図２は、図１に示した携帯端末９の構成ブロック図である。
図２に示すように、この携帯端末９は、プログラムを実行するためのＣＰＵ１１と、メモリ１３と、データ表示用の液晶ディスプレイ１５と、入力用のタッチパネル１７と、ＰＣ１との接続のためのシリアルインターフェース１９と、入力用のキーボード２１と、クロック２３とが、バス２５を介して接続されている。タッチパネル１７は、ユーザがペンで接触したことを検知し、ペンがパネルに触れた場合にはペンダウン信号、ペンがパネルに触れたまま移動した場合にはペンムーブ信号、ペンがパネルから離れた場合にはペンアップ信号、及びその位置（ＸＹ座標値）信号を出力する。また、ディスプレイ１５に表示されたボタンなどに対してユーザが操作できるように、ディスプレイ１５の表示面に重ねて設置される。
【００１０】
このデータ記録再生システムの全体の動作について説明すると、まず、携帯端末９（送信側装置）を動画表示用ＰＣ１（受信側装置）と接続しない状態において、タッチパネル１７を備えた携帯端末９上で、付属のペン又は指によるタップ動作により情報を取得し、時刻情報と共に自身のメモリ１３に記録する。すなわち、時刻記録操作時には、携帯端末９は独立して動作する。
その後、携帯端末９を動画表示用ＰＣ１に接続し、携帯端末９において記録された時刻データを転送する際に、時刻を補正するための情報を付加して動画表示用ＰＣ１に転送する。転送された画像データはビデオサーバ３に記録される。動画表示用ＰＣ１とビデオサーバ３の時計はあらかじめＮＴＰサーバ５と同期させておく。
その後、動画表示用ＰＣ１では、転送された時刻データに従い、ネットワーク７上のビデオサーバ３に記録された動画データを検索し表示する。
【００１１】
前記全体動作を実現するために、携帯端末上で動作する記録プログラム、記録プログラムによって記録されたデータを動画表示用ＰＣ１へ送信する送信プログラム、動画表示用ＰＣ側の受信プログラム、動画表示用ＰＣ１上で動作する動画表示プログラム、ビデオサーバ３上で動作する動画配信プログラム等が備えられている。
以下、前記各プログラムによる動作について説明する。
前記携帯端末上で動作する記録プログラムは、携帯端末９上で動作し、ユーザの操作により、記録中の動画データを後で検索するためのコンテキストデータ及び時刻データを記録し、メモリ１３上に保存する役割を果す。この時、前記コンテキストデータはユーザが任意に選択できるものとする。
図３は、前記携帯端末９上で動作する記録プログラムによる記録動作のフローチャートである。以下フローチャートの各ステップごとにプログラムの動作を説明する。
１．画面表示（ステップ１０１）
図４に示す内容をディスプレイ１５上に表示する。画面最上部には、現在の章（ｃｈａｐｔｅｒ）番号が表示される。また、画面最下部に「Ｅｎｄ」ボタンがあり、その間には前記コンテキストデータを示すボタンが複数表示される。これらのボタンの意味は、下記の通りである。
「Ｃｈａｐｔｅｒ」ボタン：話題の転換点など、シーンの切れ目を意図的に入れる場合に押される。
「Ｉｍｐｏｒｔａｎｔ」ボタン：現在のシーンが後に重要な意味を持つと思われる場合に押される。
「Ｉ  ｍｉｓｓｅｄ！」ボタン：居眠りをした、途中退席したなどの原因で、会話を聞き逃した場合や重要なシーンを見逃した場合に押される。
「Ｔｈａｔ’ｓ  ＯＫ」ボタン：現在目や耳に入っていることは完全に理解したので、後で振り返る必要がないという場合に押される。
「Ｃｏｎｃｌｕｓｉｏｎ」ボタン：会議などのイベントにおいて、結論が出た時点で押される。
「Ｅｎｄ」ボタン：記録プログラムを終了する場合に押される。
２．ペン指示入力（ステップ１０３）
ユーザがペンを使い、前記ボタンをタップする操作を行う。
３．Ｅｎｄボタン？（ステップ１０５）
ペンが触れた位置を取得し、それが「Ｅｎｄ」ボタンの上であれば、処理を終了する。それ以外のボタンの上であれば、次の「データ記録」ステップに進む。
４．データ記録（ステップ１０７）
これまで記録された時刻とコンテキストデータの内容を、メモリ１３上に記録する。ここで記録データは図５に示すようなフォーマットとなっている。最初の「時刻修正フラグ」は、時刻データが修正されているか否かを示す。記録プログラムで記録する場合は、（修正されていないので）その値は０とする。以下、コンテキストデータを追加した時刻とその内容が、記録された個数だけ続く。
ここで、前記コンテキストデータに対応する時刻は瞬時のものではなく、時間的な幅（タイムスパン）を持つことがある。そこで、前記ボタンのうち「Ｃｈａｐｔｅｒ」ボタンと「Ｅｎｄ」ボタン以外のボタンが押された時、図６のような画面を表示し、タイムスパンを入力させると好適である。
データ記録後に処理を終了し、その後「ペン指示入力」ステップ１０３に戻り、前記の通り処理を繰り返す。
【００１２】
次に、前記記録プログラムによって記録されたデータを動画表示用ＰＣ１へ送信する送信プログラムは、携帯端末９上で実行されるプログラムであり、携帯端末９で記録された時刻及びコンテキストデータを、シリアルケーブルで接続された動画表示用ＰＣ１へ送信する。また、通信時に携帯端末９の時計のずれを補正するため、現在時刻も送信する。
図７は、前記携帯端末９上で動作する送信プログラムによる送信動作のフローチャートである。以下フローチャートの各ステップごとにプログラムの動作を説明する。
１．現在時刻（ステップ２０１）
通信開始時に携帯端末９の持つ時計での現在時刻を送信する。
２．記録データ送信（ステップ２０３）
記録プログラムによって記録された、時刻データとコンテキストデータを読み込み、シリアルインターフェースへ送信する。
【００１３】
次に、動画表示用ＰＣ１側の受信プログラムは、前記送信プログラムを携帯端末９上で実行中に、接続された動画表示用ＰＣ１上で実行され、シリアルケーブルで接続された携帯端末９で記録された時刻及びコンテキストデータを受信し、時刻を補正して記録する。
図８は、前記動画表示用ＰＣ１側の受信プログラムによる受信動作のフローチャートである。以下フローチャートの各ステップごとにプログラムの動作を説明する。
１．現在時刻受信（ステップ３０１）
携帯端末９側の時計の示す現在時刻を受信する。また、ＮＴＰプロトコルを利用してＮＴＰサーバ５に時刻情報を要求し、現在時刻を受信する。
２．記録データ受信（ステップ３０３）
携帯端末９によって記録された図５に示すデータを受信する。
３．時刻補正済み？（ステップ３０５）
図５に示した「時刻修正フラグ」の内容に従い、未補正（０）の場合は、「時刻差計測」ステップ３０７へ進む。これは、記録プログラムによって記録されたデータを初めて読み込んだ場合の動作である。「時刻修正フラグ」が補正済み（１）の場合は、「データ保存」ステップ３１１へ進む。これは、少なくとも１度は受信プログラムによって修正されたデータを読み込んだ場合の動作である。
４．時刻差計測（ステップ３０７）
受信した携帯端末９側の現在時刻と、ＮＴＰサーバ５から受信した現在時刻との差を求める。
５．時刻修正（ステップ３０９）
計測された時刻差に従い、携帯端末９より受信された時刻データを修正する。また、このとき携帯端末９のデータにおける「時刻補正フラグ」（図５参照）を修正済み（１）に書き替える。これにより、以後の処理で２重に補正してしまうことを防ぐ。
６．データ保存（ステップ３１１）
時刻の修正されたコンテキストデータを、時刻と共に動画表示用ＰＣ１のハードディスク上に記録する。
【００１４】
次に、ビデオサーバ３上で動作する動画再生プログラムは、動画撮影及び記録ブログラム実行後に、携帯端末９をネットワークに接続した状態で実行されるプログラムであり、記録プログラムによって記録された時刻データを読み込む。その後、必要であれば記録された時刻データを修正後、時刻データに対応する動画データをビデオサーバ３に要求し、記録された時刻に相当する動画を再生する。図９は、前記ビデオサーバ３上で動作する動画再生プログラムによる動画再生動作のフローチャートである。以下フローチャートの各ステップごとにプログラムの動作を説明する。
１．記録データ読み込み（ステップ４０１）
前記の記録プログラムによって記録された、または動画再生プログラムによって修正された、ハードディスク上のデータを読み込み、メモリ内に記録する。
２．画面表示（ステップ４０３）
章番号、時刻データ及びコンテキストデータに従い、図１０に示すウインドウを表示する。ウインドウ内には、章番号と、修正された時刻と、それに対応するコンテキストデータを１行ごとに表示する。このとき、コンテキストデータには、その時刻と同時刻のビデオデータへのリンクが張られている。記録データの個数が多くウインドウに入りきらない場合は、ウインドウ右端にスクロールバーを表示し、ユーザ操作に従い表示範囲を変更する。
３．マウス指示入力（ステップ４０５）
ユーザがマウスを使いボタンまたは前記リンク部分をクリックする。
４．終了ボタン？（ステップ４０７）
クリック時のマウスカーソル位置を取得し、それが「終了」ボタン上であれば処理を終了する。前記リンク上であれば、動画データ表示ステップ４０９へ進む。
５．動画データ表示（ステップ４０９）
クリックされたマウスカーソル位置に表示したリンクの時刻をメモリから読み出す。ここで、タイムスパンを持つ場合は、その開始時刻がメモリから読み出される。その時刻に対応するビデオデータをビデオサーバへ要求し、受信した動画データを表示する。
本実施の形態では、補正のための時刻情報の取得にＮＴＰプロトコルを利用したが、他のプロトコルを利用しても良い。例えば、多少の誤差を許容するならば、単純なＨＴＴＰプロトコルを利用しても同様な機能を実現可能である。
また本実施の形態では、記録された時刻の動画を表示することを目的としたが、音声、アニメーションなど、時間的に変化する他の形式の情報に適用しても同様に有効である。
【００１５】
次に、ビデオサーバ３上で動作する動画配信プログラムにおいては、前記ビデオサーバ３に対する再生要求は、ＨＴＴＰプロトコルで、ＧＥＴ／ｖｉｅｗ．ｃｇｉ？ｔｉｍｅ＝２００１／８／３０．１５：３５：２４という形式のテキスト情報とする。上の例では、２００１年８月３０日１５時３５分２４秒のデータを要求している。ビデオサーバ３は、このような要求に対して記録された動画データのなかから、１５時３５分２４秒以降の部分を送信する。ビデオサーバ３上の時計は、ＮＴＰサーバ５に対して正確に同期させておく。または、ビデオサーバ３がＮＴＰサーバ機能を兼ねても良い。図１１は、本発明によるデータ記録再生システムの第２の実施形態の構成ブロック図である。
図１１に示すように、このデータ記録再生システムは、動画表示操作を行う動画表示用ＰＣ１と、ビデオデータ配信を行うビデオサーバ３と、ＮＴＰサーバ５とが、ネットワーク７を通じて接続される構成となっている。そして、画像記録操作を行うデジタルカメラ２７が、動画表示用ＰＣ１とシリアルインターフェースで接続可能となっている。
【００１６】
図１２は、図１に示したデジタルカメラ２７の構成ブロック図である。
図１２に示すように、このデジタルカメラ２７は、システム制御部３１と、撮像部３３と、画像処理部３５と、ファインダー表示制御部３７と、記録メディアインターフェイス部３９と、ハードキーインターフェイス部４１と、時刻管理と計時を行うクロック４３と、外部インターフェイス部４５とが、バス４７を介して接続されており、ファインダー表示制御部３７にファインダー表示器４９が、記録メディアインターフェイス部３９に記録メディア５１が接続されている。
そして、システム制御部３１が、デジタルカメラ全体の制御を行うために設けられたＣＰＵ（Ｃｅｎｔｒａｌ  Ｐｒｏｃｅｓｓｉｎｇ  Ｕｎｉｔ）、メモリ、タイマー等からなり、撮像部３３が、撮像のために設けられた光学系部品（レンズ及びレンズ駆動モータ）、ＣＣＤ（Ｃｈａｒｇｅ  Ｃｏｕｐｌｅｄ  Ｄｅｖｉｃｅ）、ＣＣＤ駆動回路、Ａ／Ｄ変換器等からなり、画像処理部３５が、撮像部３３で得られた画像信号に種々の画像処理を施すと共に撮像部のＣＣＤ駆動タイミング、レンズ駆動モータを制御してフォーカシング、露出調整等を行い、画像の圧縮伸長を行うために設けられた画像処理用ＤＳＰ（Ｄｉｇｉｔａｌ  Ｓｉｇｎａｌ  Ｐｒｏｃｅｓｓｏｒ）、メモリ等からなる。
【００１７】
また、ファインダー表示制御部３７が、画像処理部３５で処理された画像信号をファインダー内部に設置された表示器へ表示するための信号処理を行い、また、ユーザーインターフェイスのための種々のグラフィック画像を生成し該表示器へ表示するために設けられた、Ｄ／Ａ変換器、オンスクリーンディスプレイコントローラ等からなり、記録メディアインターフェイス部３９が、前記撮像部３３の光学系に入射する像を表示し、また、ユーザーインターフェイスのためのグラフィックを表示するために設けられたファインダー表示器、記録メディアとのインターフェイスのために設けられた、メモリカードコントローラ等からなる。
また、ハードキーインターフェイス部４１が、圧縮された画像信号や画像に纏わる種々の情報を記憶するために設けられたフラッシュメモリ等からなる、デジタルカメラから着脱可能な記録メディア、後述するレリーズＳＷ、図示されていないキー、ダイアル等のユーザーインターフェイスのためのハードウェアの状態を検出するために設けられたパラレルポート等からなり、外部インターフェイス部４５が、ＰＣなどの外部機器と接続するためのＵＳＢ（Ｕｎｉｖｅｒｓａｌ  Ｓｅｒｉａｌ  Ｂｕｓ）などのインターフェースからなる。
また、画像記録操作を行うデジタルカメラ２７は、動画表示用ＰＣとシリアルインターフェースで接続可能である。
【００１８】
このデータ記録再生システムの第２の実施形態の全体の動作としては、デジタルカメラ２７は、レリーズボタンの押下動作を取得し、撮影された画像を時刻情報と共に記録する。その後、動画表示用ＰＣ１と接続し、記録された時刻データを転送する際に、時刻を補正するための情報を付加する。動画表示用ＰＣ１とビデオサーバ３の時計はあらかじめＮＴＰサーバ５と同期させておく。
すなわち、記録時には、デジタルカメラ２７は動画表示用ＰＣ１及びネットワークから独立して動作する。記録後、デジタルカメラ２７をシリアルケーブルで動画表示用ＰＣ１へ接続し、画像データ及び時刻データを転送する。転送された画像データはビデオサーバ３に記録される。
その後、動画表示用ＰＣ１では、転送された時刻データに従い、ネットワーク上のビデオサーバ３に記録された動画データを検索し表示する。
前記全体動作を実現するために、デジタルカメラ２７による記録動作プログラム、デジタルカメラ２７によって記録されたデータを動画表示用ＰＣ１へ送信する送信プログラム、動画表示用ＰＣ１側の受信プログラム、動画表示用ＰＣ１上で動作する動画表示プログラム、ビデオサーバ３上で動作する動画配信プログラム等が備えられている。
前記デジタルカメラ２７による記録プログラムによる記録動作としては、既に世の中で一般に行われているように、ユーザがデジタルカメラを操作して被写体を撮影し、撮影された画像データを時刻データと共に記録し、記録メディア５１上に保存する。
【００１９】
図１３は、前記デジタルカメラ２７による記録プログラムによる記録動作のフローチャートである。以下フローチャートの各ステップごとにプログラムの動作を説明する。
１．電源オン（ステップ５０１）
図示しない電源スイッチを切り替えることにより、デジタルカメラ２７の電源をオンにする。
２．シャッターボタン？（ステップ５０３）
ユーザがシャッターボタンが押されたかを検出する。押された場合、「データ記録」ステップ５０５に進み、そうでない場合は「電源オフ？」ステップ５０７に進む。
３．データ記録（ステップ５０５）
通常の撮影動作を行う。すなわち、フォーカシング、露出調整等の処理を開始し、該処理が終わると、ＣＣＤに露光された画像を記録メディア５１に記録する。実施の形態１と同様に、記録データには、時刻及び「時刻修正フラグ」が記されている。ここで記録データが、ＥＸＩＦ（Ｅｘｃｈａｎｇｅａｂｌｅ  Ｉｍａｇｅ  Ｆｉｌｅ  ｆｏｒｍａｔ）形式である場合には、そのヘッダ情報中のＵｓｅｒ  Ｃｏｍｍｅｎｔと呼ばれるユーザが任意のコメントを記述することができるフィールドに、該時刻修正フラグの値を記録することができる。データ記録後には「シャッターボタン？」ステップ５０３に戻り、前記の通り処理を繰り返す。
４．電源オフ？（ステップ５０７）
ユーザが図示しない電源スイッチを切り替えることにより、電源がオフになったのを検出すると、処理を終了する。そうでない場合は、「シャッターボタン？」ステップに戻り、前記の通り処理を繰り返す。
【００２０】
ここで、記録対象シーンが会議である場合は、ホワイトボードの画面をデジタルカメラで撮影すれば、該画面情報を用意にデジタル化してＰＣに取り込むことができるため、大変好適である。このとき、ホワイトボードを斜めから撮影したことにより生じる画像上の歪み（以下「あおり歪み」と呼ぶ）を補正できれば、視認性が向上するなどの効果が生ずるが、本出願人は下記の通り、デジタルカメラ等の画像機器により記録された画像におけるあおり歪みを補正する発明を、既に出願している。
１．特開２０００−３０７９４７
平面状の被写体を撮影すると共に、該平面の向きを検出することにより、撮影した画像のあおり歪みを補正する。
２．特開２００１−１３４７５１
平面状の被写体を少なくとも２箇所から撮影し、該２枚の画像からあおり歪みの補正された画像を出力する。
３．特開２００１−１７７７１６
平面状の被写体を撮影し、該平面状の被写体の実際の形状情報を利用することにより、撮影した画像のあおり歪みを補正する。
これらの技術をデータ記録時に適用し、あおり歪みの補正された画像を記録メディアに記録することにより、一層利便性を高めることができる。
【００２１】
次に、デジタルカメラ２７によって記録されたデータを動画表示用ＰＣ１へ送信する送信プログラムは、デジタルカメラ２７上で実行されるプログラムであり、デジタルカメラ２７で記録された時刻及び画像データを、シリアルケーブルで接続された動画表示用ＰＣ１へ送信する。また、通信時にデジタルカメラ２７の時計のずれを補正するため、現在時刻も送信する。その動作は、実施の形態１と同様であり、実施の形態１の説明において、「携帯端末」を「デジタルカメラ」に、「コンテキストデータ」を「画像データ」と読み替えればよいので詳しい説明は省略する。
次に、動画表示用ＰＣ１側の受信プログラムは、前記送信プログラムをデジタルカメラ２７上で実行中に、接続された動画表示用ＰＣ１上で実行される。シリアルケーブルで接続されたデジタルカメラ２７で記録された時刻及び画像データを受信し、時刻を補正して記録する。その動作は、実施の形態１と同様であり、実施の形態１の説明において、「携帯端末」を「デジタルカメラ」に、「コンテキストデータ」を「画像データ」と読み替えればよいので詳しい説明は省略する。
【００２２】
次に、動画表示用ＰＣ１上で動作する動画表示プログラムは、動画撮影及び前記記録動作実行後に、デジタルカメラ２７をネットワークに接続した状態で実行されるプログラムである。デジタルカメラ２７によって記録された時刻データ及び画像データを読み込む。その後、必要であれば記録された時刻データを修正後、時刻データに対応する動画データをビデオサーバ３に要求し、記録された時刻に相当する動画を再生する。
フローチャートは実施の形態１と同様に、図９に示される。以下フローチャートの各ステップごとにプログラムの動作を説明する。
１．記録データ読み込み（ステップ４０１）
デジタルカメラ２７によって記録された、または動画再生プログラムによって修正された、ハードディスク上のデータを読み込み、メモリ内に記録する。
２．画面表示（ステップ４０３）
時刻データ及び画像データに従い、図１４に示すウインドウを表示する。ウインドウ内には、修正された時刻と、それに対応する画像データを表示する。このとき、画像データには、その時刻と同時刻のビデオデータへのリンクが張られている。記録データの個数が多くウインドウに入りきらない場合は、ウインドウ右端にスクロールバーを表示し、ユーザ操作に従い表示範囲を変更する。
３．マウス指示入力（ステップ４０５）
ユーザがマウスを使いボタンまたは前記リンク部分をクリックするのを待つ。
４．終了ボタン？（ステップ４０７）
クリック時のマウスカーソル位置を取得し、それが「終了」ボタン上であれば処理を終了する。前記リンク上であれば、動画データ表示ステップへ進む。
５．動画データ表示（ステップ４０９）
クリックされたマウスカーソル位置に表示したリンクの時刻をメモリから読み出す。先行技術（特願２００２−１３１８９６）と同様に、その時刻に対応するビデオデータをビデオサーバ３へ要求し、受信した動画データを表示する。
次に、ビデオサーバ３上で動作する動画配信プログラムは、実施の形態１と同様であるので説明を省略する。
【００２３】
図１５は、本発明によるデータ記録再生システムの第３の実施形態の構成ブロック図である。
図１５に示すように、このデータ記録再生システムは、動画表示操作を行う動画表示用ＰＣ１と、ビデオデータ配信を行うビデオサーバ３と、ＮＴＰサーバ５とが、ネットワーク７を通じて接続される構成となっている。そして、通話開始・終了時のボタンの押下動作を取得し、通話開始・終了時の時刻を記録する携帯電話５３が、動画表示用ＰＣ１とシリアルインターフェースで接続可能となっている。
このデータ記録再生システムの全体動作を説明すると、携帯電話５３の通話開始・終了時のボタンの押下動作を取得し、通話開始・終了時の時刻を記録する。その後、動画表示用ＰＣ１と接続し、記録された時刻データを転送する際に、時刻を補正するための情報を付加する。動画表示用ＰＣ１とビデオサーバ３の時計はあらかじめＮＴＰサーバ５と同期させておく。
すなわち、記録時には、携帯電話５３は動画表示用ＰＣ１及びネットワークから独立して動作する。記録後、携帯電話５３をシリアルケーブルで動画表示用ＰＣ１へ接続し、通話時刻データを転送する。動画表示用ＰＣ１では、転送された時刻データに従い、ネットワーク上のビデオサーバ３に記録された動画データを検索し表示する。
【００２４】
前記全体動作を実現するために、携帯電話５３による通話時刻記録動作プログラム、通話時刻データを動画表示用ＰＣ１へ送信する送信プログラム、動画表示用ＰＣ１側の受信プログラム、動画表示用ＰＣ１上で動作する動画表示プログラム、ビデオサーバ３上で動作する動画配信プログラム等を備えている。
前記通話時刻記録動作プログラムは、既に世の中で一般に行われているように、ユーザが携帯電話を操作して通話動作を行い、通話開始・終了時刻を記録し、メモリ上に保存する。
図１６は、前記携帯電話５３による通話時刻記録動作プログラムによる記録動作のフローチャートである。以下フローチャートの各ステップごとにプログラムの動作を説明する。
１．電源オン（ステップ６０１）
電源スイッチを切り替えることにより、携帯電話５３の電源をオンにする。
２．通話開始？（ステップ６０３）
ユーザが電話をかけたとき、又はユーザに電話がかかってきたときに、図示しない通話開始ボタンの押下を検知する。押された場合、「第１の時刻記録」ステップに進み、そうでない場合は「電源オフ？」ステップ６１３に進む。
３．第１の時刻記録（ステップ６０５）
通話開始ボタンが押された時の時刻をメモリに記録する。
４．通話終了？（ステップ６０９）
ユーザが図示しない通話終了ボタンを切り替えることにより、通話が終了したのを検出すると、「第２の時刻記録」ステップ６１１に進み、そうでない場合は、このステップを繰り返し、通話を継続する。
５．第２の時刻記録（ステップ６１１）
通話終了ボタンが押された時の時刻をメモリに記録する。ここで、実施の形態１と同様に、記録データには、通話開始時刻、通話終了時刻のほか、「時刻修正フラグ」が記される。
また、近年ＧＰＳ（Ｇｌｏｂａｌ  Ｐｏｓｉｔｉｏｎｉｎｇ  Ｓｙｓｔｅｍ）アンテナを搭載した携帯電話が市販されるようになったが、この時ＧＰＳにより検出された位置情報を前記時刻データと共に記録すれば、記録対象シーンの場所情報を無意識的に入力することができ、非常に好適である。
６．電源オフ？（ステップ６１３）
ユーザが電源スイッチを切り替えることにより、電源がオフになったのを検出すると、処理を終了する。そうでない場合は、「通話開始？」ステップ６０３に戻り、前記の通り処理を繰り返す。
【００２５】
次に、通話時刻データを動画表示用ＰＣ１へ送信する送信プログラムは、携帯電話５３上で実行されるプログラムであり、携帯電話で記録された時刻を、シリアルケーブルで接続された動画表示用ＰＣ１へ送信する（ここで、取得した画像データ（動画あるいは静止画）を一緒に送っても良い）。また、通信時に携帯電話５３の時計のずれを補正するため、現在時刻も送信する。その動作は、実施の形態１と同様であり、実施の形態１の説明において、「携帯端末」を「携帯電話」と読み替えればよいので詳しい説明は省略する。
次に、動画表示用ＰＣ１側の受信プログラムは、前記送信プログラムを携帯電話５３上で実行中に、接続された動画表示用ＰＣ１上で実行される。シリアルケーブルで接続された携帯電話５３で記録された時刻データを受信し、時刻を補正して記録する。その動作は、実施の形態１と同様であり、実施の形態１の説明において、「携帯端末」を「携帯電話」と読み替えればよいので詳しい説明は省略する。
【００２６】
次に、動画表示用ＰＣ１上で動作する動画表示プログラムは、動画撮影及び前記記録動作実行後に、携帯電話５３をネットワークに接続した状態で実行されるプログラムである。携帯電話５３によって記録された時刻データを読み込み、必要であれば記録された時刻データを修正後、時刻データに対応する動画データをビデオサーバ３に要求し、記録された時刻に相当する動画を再生する。
フローチャートは実施の形態１と同様に、図９に示される。以下フローチャートの各ステップごとにプログラムの動作を説明する。
１．記録データ読み込み（ステップ４０１）
携帯電話５３によって記録された、または動画再生プログラムによって修正された、ハードディスク上のデータを読み込み、メモリ内に記録する。
２．画面表示（ステップ４０３）
時刻データ及び画像データに従い、図１７に示すウインドウを表示する。ウインドウ内には、日付、場所（必要であれば）、修正された通話開始時刻、通話終了時刻、及び通話データを表示する。ここで、通話データは、
・通話相手
・自分からかけたのか、それとも相手からかかってきたのか
の２つの情報からなり、これらは既に市販されている携帯電話で記録可能である。
このとき、通話データには、その時刻と同時刻のビデオデータへのリンクが張られている。記録データの個数が多くウインドウに入りきらない場合は、ウインドウ右端にスクロールバーを表示し、ユーザ操作に従い表示範囲を変更する。
３．マウス指示入力（ステップ４０５）
ユーザがマウスを使いボタンまたは前記リンク部分をクリックするのを待つ。
４．終了ボタン？（ステップ４０７）
クリック時のマウスカーソル位置を取得し、それが「終了」ボタン上であれば処理を終了する。前記リンク上であれば、動画データ表示ステップへ進む。
５．動画データ表示（ステップ４０９）
クリックされたマウスカーソル位置に表示したリンクの時刻をメモリから読み出す。先行技術（特願２００２−１３１８９６）と同様に、その時刻に対応するビデオデータをビデオサーバ３へ要求し、受信した動画データを表示する。
【００２７】
次に、ビデオサーバ３上で動作する動画配信プログラムは、実施の形態１と全く同様であるので説明は省略する。
また、本発明に係るデータ記録再生システムは、実施の形態１乃至３で説明した機器に、前記実施の形態で説明したプログラムを格納した記録媒体を読み取らせることにより、その機能を実現させることができる。例えば、図１８（ａ）に示されるように、各プログラムを格納した記録メディア６１を、携帯端末６３に装着し、適宜該プログラムを実行させることにより、その機能を実現させることができる。また、図１８（ｂ）に示されるように、各プログラムを格納した記録メディア６５を、それを読み取り可能なデジタルカメラ６７に装着し、適宜該プログラムを実行させることにより、その機能を実現させることができる。
なお、該プログラムを格納する記録媒体は前記例に限られないことはいうまでもない。
以上の各実施の形態は、本発明の一例を説明したにすぎない。すなわち、本発明の権利範囲を前記実施の形態の通りに不当に限定・縮小すべきではなく、下記のように、本発明の構成要素を別の要素に変更した例も、本発明と均等の発明として権利範囲に含まれる。
例えば、第１の実施の形態において、携帯端末を例に挙げて動作を説明したが、前記コンテキストデータを記録するアプリケーションを携帯電話にインストールした場合も、前記実施の形態と同様の機能を実現することができる。このように別の形態の端末を利用した場合であっても、本願の権利範囲に含まれる。
また、前記実施の形態において、携帯端末、デジタルカメラ、及び携帯電話を動画表示用ＰＣに接続すると説明したが、これ以外の接続形態であっても構わない。例えば、携帯端末や携帯電話を直接ネットワークに接続して、前記と同様の動作を実現した場合も、本願の権利範囲に含まれる。また、記録されるデータの形態も動画や静止画等に限られず音声やその他の形態でも適用できる。
【００２８】
【発明の効果】
本発明によれば、正確な検索のために時刻記録装置と動画記録装置の間の時刻データを、利便性を低下させずに正確に対応づけでき、非常に簡単な操作で正確かつ効率のよい検索が可能となる。
また、コンテキストデータと共に記録する時刻を、幅を持たせる形で記録できるようにすることで、一層正確かつ効率のよい検索が可能となる。
また、日常的なシーンにおいてユーザが無意識的に行う動作を、検索に役に立つデータとして入力することが可能となる。
【図面の簡単な説明】
【図１】本発明によるデータ記録再生システムの第１の実施形態の構成ブロック図である。
【図２】図１に示した携帯端末の構成ブロック図である。
【図３】記録プログラムによる記録動作のフローチャートである。
【図４】記録プログラムによるディスプレイ上の表示例を示す図である。
【図５】記録プログラムにより記録されるデータ構造を示す図である。
【図６】記録プログラムのタイムスパン入力画面を示す図である。
【図７】送信プログラムによる送信動作のフローチャートである。
【図８】受信プログラムによる受信動作のフローチャートである。
【図９】動作再生プログラムによる動作再生動作のフローチャートである。
【図１０】動作再生プログラムによるディスプレイ上の表示例を示す図である。
【図１１】本発明によるデータ記録再生システムの第２の実施形態の構成ブロック図である。
【図１２】図１１に示したデジタルカメラの構成ブロック図である。
【図１３】図１１に示したデジタルカメラの動作フローチャートである。
【図１４】動作再生プログラムによるディスプレイ上の表示例を示す図である。
【図１５】本発明によるデータ記録再生システムの第３の実施形態の構成ブロック図である。
【図１６】図１５に示す携帯電話の動作フローチャートである。
【図１７】動作再生プログラムによるディスプレイ上の表示例を示す図である。
【図１８】本発明による他の実施形態の概念図である。
【符号の説明】
１…動作表示用ＰＣ、３…ビデオサーバ、５…ＮＴＰサーバ、７…ネットワーク、９…携帯端末、１１…ＣＰＵ、１３…メモリ、１５…ディスプレイ、１７…タッチパネル、１９…シリアルインターフェース、２１…キーボード、２３…クロック、２５…バス、２７…デジタルカメラ、３１…システム制御部、３３…撮像部、３５…画像処理部、３７…ファインダー表示制御部、３９…記録メディアインターフェイス部、４１…ハードキーインターフェイス部、４３…クロック、４５…外部インターフェイス部、４７…バス、４９…ファインダー表示器、５１…記録メディア、５３…携帯電話
【図１】
2004274514.tif 000003
【図２】
2004274514.tif 000004
【図３】
2004274514.tif 000005
【図４】
2004274514.tif 000006
【図５】
2004274514.tif 000007
【図６】
2004274514.tif 000008
【図７】
2004274514.tif 000009
【図８】
2004274514.tif 000010
【図９】
2004274514.tif 000011
【図１０】
2004274514.tif 000012
【図１１】
2004274514.tif 000013
【図１２】
2004274514.tif 000014
【図１３】
2004274514.tif 000015
【図１４】
2004274514.tif 000016
【図１５】
2004274514.tif 000017
【図１６】
2004274514.tif 000018
【図１７】
2004274514.tif 000019
【図１８】
2004274514.tif 000020